(57)【要約】【課題】撮像手段の大きさの異なるカメラに装着した場合でもゴーストやフレアを良好に防止することが可能なレンズ鏡筒を提供する。【解決手段】フィルタ４を支持し光路内へ挿脱可能なフィルタ支持手段３を有するレンズ鏡筒１であって、フィルタ支持手段３は、フィルタ４を支持すると同時にフィルタ４の開口よりも小さい開口を有し前記光路内を通過する光線の一部を遮光する遮光部材５を支持可能なことを特徴とする。【選択図】図１
2007171303.tif 000002
【特許請求の範囲】
【請求項１】
フィルタを支持し光路内へ挿脱可能なフィルタ支持手段を有するレンズ鏡筒であって、
前記フィルタ支持手段は、前記フィルタを支持すると同時に前記フィルタの開口よりも小さい開口を有し前記光路内を通過する光線の一部を遮光する遮光部材を支持可能なことを特徴とするレンズ鏡筒。
【請求項２】
前記遮光部材の前記開口は、前記レンズ鏡筒が取り付けられる撮像装置の撮像部の大きさに対応し、前記光路内を通過する光のうち前記撮像部の外に達する光を遮光することを特徴とする請求項１に記載のレンズ鏡筒。
【請求項３】
前記レンズ鏡筒は、焦点距離が変化しない単焦点の光学系を有することを特徴とする請求項１又は請求項２に記載のレンズ鏡筒。
【請求項４】
前記フィルタ支持手段は、前記レンズ鏡筒内に保持されるいずれのレンズよりも像側に配置されていることを特徴とする請求項１から請求項３のいずれか１項に記載のレンズ鏡筒。
【発明の詳細な説明】
【技術分野】
【０００１】
本発明は、レンズ鏡筒に関する。
【背景技術】
【０００２】
従来、一眼レフカメラとして、例えば３５ｍｍ判フィルムを用いるフィルムカメラや、撮像素子を備えたデジタルカメラが知られている。通常、撮像素子は３５ｍｍ判フィルムよりも小さいため、デジタルカメラはフィルムカメラよりも小さな画面サイズで被写体像を結像させることを特徴としている。したがってデジタルカメラで用いられるレンズは、必要とされるイメージサークルが小さく、フィルムカメラで用いられるレンズ（以下、「フィルムカメラレンズ」という。）と同じ焦点距離のレンズを設計しようとした場合、レンズ鏡筒を小型軽量化することができるというメリットがある。このため、デジタルカメラ専用のレンズ（以下、「デジタルカメラレンズ」という。）としてイメージサークルの小さいレンズが提案されている。
【０００３】
また、通常これらのレンズには、結像に必要の無い光、すなわち不要光束がイメージサークルの外側へ侵入するとゴーストやフレアを引き起こす原因となる可能性が高いため、不要光束をできる限りカットするためのフレア防止機構が備えられている（例えば、特許文献１を参照。）。
【特許文献１】特開平６−２０１９６６号公報
【発明の開示】
【発明が解決しようとする課題】
【０００４】
ここで、デジタルカメラレンズとフィルムカメラレンズはカメラ本体へ装着するためのマウントが同じ構成であり、上述のようにフィルムカメラレンズはデジタルカメラレンズよりもイメージサークルが大きいため、フィルムカメラレンズをデジタルカメラ本体に装着して撮影を行うことも可能である。しかしながらこのような場合、デジタルカメラの画面サイズが小さく、被写体像はフィルムカメラレンズの中心部を経た光のみで形成されるため、当該中心部よりも外側の光は不要光となり、ゴーストやフレアを引き起こす原因となってしまうという問題がある。
【０００５】
そこで本発明は上記問題点に鑑みてなされたものであり、撮像手段の大きさすなわち画面サイズの異なるカメラに装着した場合でもゴーストやフレアを良好に防止することが可能なレンズ鏡筒を提供することを目的とする。
【課題を解決するための手段】
【０００６】
上記課題を解決するために本発明は、
フィルタを支持し光路内へ挿脱可能なフィルタ支持手段を有するレンズ鏡筒であって、
前記フィルタ支持手段は、前記フィルタを支持すると同時に前記フィルタの開口よりも小さい開口を有し前記光路内を通過する光線の一部を遮光する遮光部材を支持可能なことを特徴とするレンズ鏡筒を提供する。
【０００７】
また本発明のレンズ鏡筒は、
前記遮光部材の前記開口は、前記レンズ鏡筒が取り付けられる撮像装置の撮像部の大きさに対応し、前記光路内を通過する光のうち前記撮像部の外に達する光を遮光することが望ましい。
【０００８】
また本発明のレンズ鏡筒は、
前記レンズ鏡筒は、焦点距離が変化しない単焦点の光学系を有することが望ましい。
【０００９】
また本発明のレンズ鏡筒は、
前記フィルタ支持手段は、前記レンズ鏡筒内に保持されるいずれのレンズよりも像側に配置されていることが望ましい。
【発明の効果】
【００１０】
本発明によれば、撮像手段の大きさの異なるカメラに装着した場合でもゴーストやフレアを良好に防止することが可能なレンズ鏡筒を提供することができる。
【発明を実施するための最良の形態】
【００１１】
以下、本発明の実施形態に係るレンズ鏡筒を添付図面に基づいて説明する。
図１は、本発明の実施形態に係るレンズ鏡筒の構成を示す図である。
図１に示すように本実施形態に係るレンズ鏡筒１は、光軸方向の位置が固定のレンズすなわちズーム作動のない単焦点レンズ（不図示）を保持した３５ｍｍ判フィルムカメラ用レンズであって、鏡筒本体２、差込式フィルタホルダ３、及び当該差込式フィルタホルダ３に着脱可能なねじ込み式フィルタ４とフレアカットマスク５からなる。
【００１２】
本レンズ鏡筒２は、図１及び後述の図３に示すように、鏡筒本体２内に保持されているレンズ６よりも像側に、差込式フィルタホルダ３を光路内へ挿脱可能に挿入するための挿入スロット７が形成されている。また、鏡筒本体２の後端には、３５ｍｍ判フィルムカメラ本体のマウントに着脱可能に取り付けるためのマウント部８が設けられている。このマウント部８の構成は公知のものであって、２３．７ｍｍ×１５．６ｍｍの撮像素子を備えたデジタルカメラ（以下、「ＤＸフォーマットカメラ」という。）の本体のマウントにも取り付けることができる。
【００１３】
図２（ａ）及び図２（ｂ）は、それぞれ本実施形態における差込式フィルタホルダの構成を示す正面図及び部分断面図である。
差込式フィルタホルダ３は、図２に示すようにホルダ本体１０が略舌形の部材であって、後述するフレアカットマスク５の開口部１１よりも大きな円形の開口部（不図示）が形成されており、その内周にはねじ込み式フィルタ４をねじ込むためのねじ溝１２が形成されている。
【００１４】
また、差込式フィルタホルダ本体１０の頂部には当該ホルダ本体１０を鏡筒本体２に固定するためのノブ部１３を備えている。そして、ホルダ本体１０にはフレアカットマスク５を下方へ付勢するための板バネ１４が板バネ押さえ１５によって固定されており、またホルダ本体１０における板バネ１４の各腕部先端１４ａ,１４ｂ付近にはそれぞれ凹み部１０ａ,１０ｂが形成されている。さらに、ホルダ本体１０の下側端部には、後述するマスク５の突起５ｃのための切り欠き部１０ｃと、その両側にはフレアカットマスク５の下側端部を係止するためのフリンジ部１６ａ,１６ｂが形成されている。
【００１５】
フレアカットマスク５は、ホルダ本体１０よりも小さく薄い略舌形の板状部材であって、本レンズ鏡筒１をＤＸフォーマットカメラに装着して撮影を行う際に、鏡筒１内のレンズを経た光のうち、ＤＸフォーマットカメラの画面サイズの外側へ進行する光線を遮光するために、ねじ込み式フィルタ４の開口よりも小さくＤＸフォーマットの撮像素子の大きさに対応した長方形の開口部１１が形成されている。また、フレアカットマスク５の上側端部には被写体側へわずかに延在したＬ字型の２つの突起５ａ,５ｂ、下側端部には下側へわずかに延在した突起５ｃが設けられている。
【００１６】
以上の構成の下、フレアカットマスク５の差込式フィルタホルダ３への取り付け及び取り外しについて述べる。
マスク５の突起５ａ,５ｂをそれぞれホルダ本体１０の凹み部１０ａ,１０ｂへ差込み、突起５ａ,５ｂをそれぞれ板バネ１４の腕部先端１４ａ,１４ｂに当接させる。これによりマスク５は、板バネ１４によって下方向へ付勢されることとなる。そして、突起５ｃをつまんでマスク５を上方向へ押し上げ、マスク５の下側端部５ｃをホルダ本体１０のフリンジ部１６ａ,１６ｂへ導き係止させる（なお、このとき突起５ｃはホルダ本体１０の切り欠き部１４ｃへ導かれる。）。これにより、マスク５がホルダ本体１０に固定され、フレアカットマスク５の差込式フィルタホルダ３への取り付けが実現される。また、斯かる構成により、ホルダ３に対するマスク５の光軸方向及び光軸に垂直な方向への正確な位置決めを再現性良く実現することができる。なお、フレアカットマスク５の取り外しは、取り付けと逆の手順で容易に行うことができる。
【００１７】
図３は、本実施形態に係るレンズ鏡筒内を進行する光線を示す要部断面図である。
差込式フィルタホルダ３からフレアカットマスク５を外して本レンズ鏡筒１を３５ｍｍ判フィルムカメラに装着する場合、被写体光は撮像面２０においてフィルムの画面サイズに相当する領域２１で被写体像を形成する。一方、ホルダ３にマスク５を取り付けて本レンズ鏡筒１をＤＸフォーマットカメラに装着する場合には、被写体光は撮像面２０において撮像素子の画面サイズに相当する領域２２で被写体像を形成し、これ以外の不要光はマスク５によって遮光される。
【００１８】
以上より本実施形態に係るレンズ鏡筒１は、差込式フィルタホルダ３からフレアカットマスク５を取り外すことで３５ｍｍ判フィルムカメラに用いることができ、フィルタホルダ３にマスク５を取り付けることでＤＸフォーマットカメラに用いることができかつフレアの要因となる不要光を適切にカットすることができる。
【００１９】
なお、本実施形態では、上述のように３５ｍｍ判フィルムカメラとＤＸフォーマットカメラに使用可能なレンズ鏡筒を示しているが、本発明はこれらのカメラに限られず、他の撮像手段の大きさに対応した開口部を有するフレアカット用マスクを作製すれば、色々なカメラや光学装置に本発明のレンズ鏡筒を使用することが可能となる。
【００２０】
また、本実施形態では、１つの差込式フィルタホルダにフレアカット用マスクを着脱する構成であるが、ホルダ自体を２つ用意し、３５ｍｍ判カメラ用とＤＸフォーマットカメラ用に分けて使用する構成とすることもできる。この場合、マスクをホルダと一体化して差込式マスクを構成することができるため、上述したホルダに対するマスクの取り外し機構が不要になり、簡素化を図ることができる。
【００２１】
また本実施形態において、ねじ込み式フィルタとしてゼラチン式フィルタを用いる場合には、フィルタホルダとゼラチンフィルタの間に板状のマスクを挟み込む構成とすることができ、上述のようなホルダに対するマスクの取り外し機構が不要になり、簡素化を図ることができる。
また、防振レンズを保持するレンズ鏡筒へ適用することもできる。この場合、フレアカットマスクの開口部を、撮像手段の大きさに加え、防振時の光束の移動範囲も考慮した大きさにすればよい。また、ズームレンズにも適用することができる。この場合、フレアカットマスクの開口部を最も焦点距離が短い状態で撮像手段の外に達する光をカットするようにすればよい。
【００２２】
以上、本実施形態によれば、撮像手段の大きさの異なるカメラに装着した場合でもゴーストやフレアを良好に防止することが可能なレンズ鏡筒を実現することができる。
【図面の簡単な説明】
【００２３】
【図１】本発明の実施形態に係るレンズ鏡筒の構成を示す図である。
【図２】（ａ）,（ｂ）はそれぞれ、本実施形態における差込式フィルタホルダの構成を示す正面図及び部分断面図である。
【図３】本発明の実施形態に係るレンズ鏡筒内を進行する光線を示す要部断面図である。
【符号の説明】
【００２４】
１    レンズ鏡筒
２    鏡筒本体
３    差込式フィルタホルダ
４    ねじ込み式フィルタ
５    フレアカットマスク
８    マウント部
【図１】
2007171303.tif 000003
【図２】
2007171303.tif 000004
【図３】
2007171303.tif 000005